(57)【要約】【課題】レンズの解像力や明るさに拘わらず、レンズの焦点位置を迅速かつ高精度に調整すること。【解決手段】レンズ１０１を保持するレンズ保持枠２０６を光軸方向に移動可能に保持する主鏡筒２０１に対するフォーカスリング１０５の回転にともなって主鏡筒２０１に対してレンズ保持枠２０６を光軸方向に移動させる第１の調整機構と、光軸方向においてフォーカスリング１０５と第１鏡筒２０３とによって構成される副鏡筒に当接するとともに主鏡筒２０１に対して光軸周りに回転自在に設けられた微調整リング１０６の回転にともなって主鏡筒２０１に対して副鏡筒を光軸方向に移動させる第２の調整機構と、を備える焦点調整機構であって、主鏡筒２０１に対する微調整リング１０６の回転量に応じたレンズ保持枠２０６の移動量が、主鏡筒２０１に対するフォーカスリング１０５の回転量に応じたレンズ保持枠２０６の移動量よりも小さくなるようにした。【選択図】図２
2008009261.tif 000002
【特許請求の範囲】
【請求項１】
光軸を軸心方向とする筒形状を有し、レンズを保持するレンズ保持枠を光軸方向に移動可能に保持する主鏡筒と、
前記光軸を軸心方向とする筒形状を有して前記主鏡筒に対して前記光軸周りに回転自在に設けられた調整リングを備える副鏡筒と、
前記主鏡筒に対する前記調整リングの回転にともなって前記主鏡筒に対して前記レンズ保持枠を前記光軸方向に移動させる第１の調整機構と、
前記光軸方向において前記副鏡筒に当接し、前記主鏡筒に対して前記光軸周りに回転自在に設けられた調整部材と、
前記調整部材の回転にともなって前記主鏡筒に対して前記副鏡筒を前記光軸方向に移動させる第２の調整機構と、
を備え、
前記第２の調整機構は、前記主鏡筒に対する前記調整部材の回転量に応じた前記レンズ保持枠の移動量が、前記主鏡筒に対する前記調整リングの回転量に応じた前記レンズ保持枠の移動量よりも小さくなるように、前記副鏡筒を移動させることを特徴とする焦点調整機構。
【請求項２】
前記副鏡筒を前記調整部材に当接する方向に付勢する付勢部材を備えることを特徴とする請求項１に記載の焦点調整機構。
【請求項３】
前記第１の調整機構は、前記光軸を軸心として前記副鏡筒に設けられた螺旋状の溝における任意の位置で係合する係合部材を備え、前記溝に対する当該係合部材の位置を変化させることで、前記主鏡筒に対して前記レンズ保持枠を前記光軸方向に移動させることを特徴とする請求項１または２に記載の焦点調整機構。
【請求項４】
前記第２の調整機構は、ネジを介して前記主鏡筒と前記調整部材とを連結するネジ機構であり、前記ネジのピッチあるいは前記光軸方向に対する前記ネジのリード角は、前記溝のピッチあるいは前記光軸方向に対する前記溝のリード角に応じて調整されていることを特徴とする請求項３に記載の焦点調整機構。
【請求項５】
前記第２の調整機構は、前記調整部材または前記副鏡筒における前記副鏡筒または前記調整部材との対向位置に設けられて前記光軸に直交する平面に対する角度が当該平面と前記溝とがなす角度よりも小さい傾斜面と、前記副鏡筒または前記調整部材に設けられて前記傾斜面に当接する当接部材と、を備えることを特徴とする請求項３に記載の焦点調整機構。
【請求項６】
レンズを保持するレンズ保持枠と、
前記レンズに入射した外光の強度に応じた画像データを生成する撮像用の光電変換素子と、
光軸を軸心方向とする筒形状を有し、前記レンズ保持枠を光軸方向に移動可能に保持する主鏡筒と、
前記光軸を軸心方向とする筒形状を有して前記主鏡筒に対して前記光軸周りに回転自在に設けられた調整リングを備える副鏡筒と、
前記主鏡筒に対する前記調整リングの回転にともなって前記主鏡筒に対して前記レンズ保持枠を前記光軸方向に移動させる第１の調整機構と、
前記光軸方向において前記副鏡筒に当接し、前記主鏡筒に対して前記光軸周りに回転自在に設けられた調整部材と、
前記調整部材の回転にともなって前記主鏡筒に対して前記副鏡筒を前記光軸方向に移動させる第２の調整機構と、
を備え、
前記第２の調整機構は、前記主鏡筒に対する前記調整部材の回転量に応じた前記レンズ保持枠の移動量が、前記主鏡筒に対する前記調整リングの回転量に応じた前記レンズ保持枠の移動量よりも小さくなるように、前記副鏡筒を移動させることを特徴とする撮像装置。
【発明の詳細な説明】
【技術分野】
【０００１】
この発明は、焦点調整機構および撮像装置に関する。
【背景技術】
【０００２】
従来から、レンズを用いてＣＣＤに結像させた外光を電気信号に変換し、デジタルデータとして記憶媒体に記憶する撮像装置が存在する。このような撮像装置は、光軸上におけるレンズの位置を調整し、レンズが結像する画像の焦点位置をＣＣＤにおける撮像面上に位置させることで、レンズの焦点調整をおこなう焦点調整機構を備えている。
【０００３】
上記のような焦点調整機構には、複数種類の調整方法が存在する。そのうち、たとえば、連続的に倍率を変えることができる可変焦点レンズであるバリフォーカルレンズを搭載する撮像装置の焦点調整機構では、レンズを保持するレンズ保持枠に取り付けられたコマ部材を、光軸を軸心とするフォーカスリングの内周面に設けられた螺旋状のカム溝に係合させ、フォーカスリングを光軸周りに回転させてカム溝に対するコマ部材の係合位置を変えることで、光軸方向にレンズを移動させ、レンズの焦点位置の調整をおこなうようにしたものがある。
【０００４】
上記バリフォーカルレンズにおいては、作業者がフォーカスリングを手動で回転させて光軸方向にレンズを移動させることによってレンズの焦点位置を調整する。このような焦点調整機構を用いたレンズの焦点位置の調整に際しては、レンズの焦点が最も精度よく合っている位置にレンズを位置付けるために、焦点位置付近においてはフォーカスリングを微量ずつ回転させる必要がある。
【０００５】
また、上述した焦点調整機構のうち、たとえば、ＦＡ（ファクトリーオートメーション）レンズを備える撮像装置の焦点調整機構では、電子制御されるモータを用いて光軸方向にレンズを移動させ、レンズの焦点位置の調整をおこなうようにしたものがある。ＦＡレンズでは、たとえば、円筒形状の支持鏡筒の内周面に設けられたヘリコイドに、支持鏡筒の内側に位置付けられる円筒形状のレンズ鏡筒をネジ機構によって連結するとともに、支持鏡筒に設けられて光軸方向を長手方向として開口する開口部を介して支持鏡筒の外周側からレンズ鏡筒に対してビスを螺合することで、レンズを光軸方向にのみ移動させる直進ヘリコイド機構が用いられる。
【０００６】
上述したような従来のバリフォーカルレンズでは、Ｆ値が１．３以上のレンズが用いられることが多く、被写界深度が格別浅いレンズが用いられることはなかったため、たとえば、上述したようにフォーカスリングを光軸周りに回転させてレンズの焦点調整をおこなう焦点調整であってもピントずれ（いわゆる「ピンボケ」）などの光学性能上の不具合は生じにくい傾向にある。
【０００７】
一方で、近年普及が著しい高画素数のＣＣＤを搭載する撮像装置では、ＣＣＤの高画素数化に応じた高解像力を有するレンズの搭載が要求される。高解像力を有するレンズは、たとえば、メガピクセル対応レンズなどと称され、Ｆ値が小さく被写界深度が浅い傾向にあるという光学特性を有している。また、ＣＣＤを搭載する撮像装置に対しては、近年、明るいレンズを搭載する撮像装置への要求が高まっている。一般的に、明るいレンズは、Ｆ値が小さく被写界深度が浅い傾向にあるという光学特性を有している。
【０００８】
また、従来技術として、たとえば、ＣＣＤが生成した画像データを補正することで、ディスプレイなどに出力される画像の焦点位置を合わせるようにした技術や、レンズを保持するレンズホルダを弾性を有する支持腕によって支持し、当該支持腕に設けられた圧電素子に電圧を印加するよう電子制御して、支持腕の弾性変形によってレンズを光軸方向に移動させてピント調整をおこなうようにした技術（たとえば、下記特許文献１参照。）や、レンズを保持する回転可能な鏡筒の外周面に設けられたリード付き溝に偏心ピンを係合させ、鏡筒の回転にともなってリード付き溝に対する偏心ピンの係合位置を変えることでピント調整をおこなうようにした技術が存在する（たとえば、下記特許文献２参照。）。
【０００９】
【特許文献１】特開平１０−３０１０１３号公報
【特許文献２】特開２０００−７５１８３号公報
【発明の開示】
【発明が解決しようとする課題】
【００１０】
Ｆ値が小さく被写界深度が浅いレンズは、レンズの移動にともなう焦点位置のずれ幅が大きくなるため、レンズの焦点位置を高精度に調整する必要がある。上述したように、フォーカスリングを作業者が回転させることでレンズの焦点位置を調整するバリフォーカルレンズにおいては、被写界深度が浅く高解像力を有するレンズを搭載した場合に、焦点位置付近ではフォーカスリングをわずかずつ回転させる必要がある。
【００１１】
しかしながら、レンズの高解像力化に見合った微量な回転量を作業者が手作業で調整するには限界があり、上述したような従来のバリフォーカルレンズでは、Ｆ値が小さく被写界深度が浅いレンズを搭載した場合に、レンズの焦点位置を高精度に調整することが困難であるという問題があった。また、従来のバリフォーカルレンズでは、作業者の習熟度などに依存してレンズの焦点位置の調整精度にばらつきが生じるという問題があった。
【００１２】
この対策として、カム溝のピッチを小さくしてフォーカスリングの回転量に対するレンズの移動量を小さくすることで、レンズの焦点位置の調整精度の向上を図ることができる。しかし、この場合にはレンズを焦点位置付近に移動させるまでに時間がかかり、レンズの焦点位置の調整作業の効率が低下するという問題がある。
【００１３】
また、上述したＦＡレンズや特許文献１に記載された技術のように、電子制御を用いてレンズの焦点位置を調整することで、レンズの焦点位置の調整精度の向上を図ることができる。しかし、ＦＡレンズよりも廉価帯市場に位置付けられるバリフォーカルレンズでは、電子制御を用いることによる製造コストの増加は望ましくないという問題があった。また、ＣＣＤの高画素化にともない、画像データを補正することによって画像の焦点位置を合わせるには限界があるという問題があった。
【００１４】
この発明は、上述した従来技術による問題点を解消するため、レンズの解像力や明るさに拘わらず、レンズの焦点位置を迅速かつ高精度に調整することができる焦点調整機構および撮像装置を提供することを目的とする。
【００１５】
さらに、この発明は、製造コストの増加を抑えつつ、レンズの解像力や明るさに拘わらず、レンズの焦点位置を迅速かつ高精度に調整することができる焦点調整機構および撮像装置を提供することを目的とする。
【課題を解決するための手段】
【００１６】
この発明にかかる焦点調整機構は、光軸を軸心方向とする筒形状を有し、レンズを保持するレンズ保持枠を光軸方向に移動可能に保持する主鏡筒と、前記光軸を軸心方向とする筒形状を有して前記主鏡筒に対して前記光軸周りに回転自在に設けられた調整リングを備える副鏡筒と、前記主鏡筒に対する前記調整リングの回転にともなって前記主鏡筒に対して前記レンズ保持枠を前記光軸方向に移動させる第１の調整機構と、前記光軸方向において前記副鏡筒に当接し、前記主鏡筒に対して前記光軸周りに回転自在に設けられた調整部材と、前記調整部材の回転にともなって前記主鏡筒に対して前記副鏡筒を前記光軸方向に移動させる第２の調整機構と、を備え、前記第２の調整機構は、前記主鏡筒に対する前記調整部材の回転量に応じた前記レンズ保持枠の移動量が、前記主鏡筒に対する前記調整リングの回転量に応じた前記レンズ保持枠の移動量よりも小さくなるように、前記副鏡筒を移動させることを特徴とする。
【００１７】
この発明によれば、調整リングおよび調整部材の主鏡筒に対する回転量が等しい場合には、調整リングの回転にともなうレンズ保持枠の光軸方向における移動量よりも、調整部材の回転にともなって副鏡筒が光軸方向に移動することによるレンズ保持枠の光軸方向における移動量の方が小さいため、作業者は、主鏡筒に対して調整リングを回転させることで光軸方向におけるレンズの焦点位置をおおまかに調整し、主鏡筒に対して調整部材を回転させることで光軸方向におけるレンズの焦点位置を微調整することができるので、レンズの解像力や明るさに拘わらず、レンズの焦点位置を迅速かつ高精度に調整することができる。
【００１８】
また、この発明によれば、調整リングと同様に調整部材を回転させるだけで、光軸方向におけるレンズの焦点位置を微調整することができるので、作業者の習熟度に依存することなく、レンズの解像力や明るさに拘わらず、レンズの焦点位置を迅速かつ高精度に調整することができる。
【００１９】
また、この発明によれば、ピントを合わせるために画像データを補正したりモータを用いてレンズ保持枠を移動させたりすることなく光軸方向におけるレンズの焦点位置を微調整することができるので、焦点調整機構および当該焦点調整機構を搭載する撮像装置などの製造コストの増加を抑えつつ、レンズの解像力や明るさに拘わらず、レンズの焦点位置を迅速かつ高精度に調整することができる。
【００２０】
また、この発明にかかる焦点調整機構は、前記副鏡筒を前記調整部材に当接する方向に付勢する付勢部材を備えることを特徴とする。
【００２１】
この発明によれば、調整部材に対して副鏡筒を安定して当接させることができるので、光軸方向における副鏡筒のがたつきを抑え、レンズの解像力や明るさに拘わらず、レンズの焦点位置を迅速かつ高精度に調整することができる。
【００２２】
また、この発明の焦点調整機構における前記第１の調整機構は、前記光軸を軸心として前記副鏡筒に設けられた螺旋状の溝における任意の位置で係合する係合部材を備え、前記溝に対する当該係合部材の位置を変化させることで、前記主鏡筒に対して前記レンズ保持枠を前記光軸方向に移動させることを特徴とする。
【００２３】
この発明によれば、簡易な構成によって主鏡筒に対してレンズ保持枠を光軸方向に移動させることができるので、バリフォーカルレンズの構造の簡易化を図り、製造コストの増加を抑制することができる。
【００２４】
また、この発明の焦点調整機構における前記第２の調整機構は、ネジを介して前記主鏡筒と前記調整部材とを連結するネジ機構であり、前記ネジのピッチあるいは前記光軸方向に対する前記ネジのリード角は、前記溝のピッチあるいは前記光軸方向に対する前記溝のリード角に応じて調整されていることを特徴とする。
【００２５】
この発明によれば、主鏡筒に調整部材を連結することで、光軸方向におけるレンズ保持枠の位置を微調整することができるので、少ない部品点数かつ簡易な構成によって、レンズの解像力や明るさに拘わらず、レンズの焦点位置を迅速かつ高精度に調整することができる。
【００２６】
また、この発明の焦点調整機構における前記第２の調整機構は、前記調整部材または前記副鏡筒における前記副鏡筒または前記調整部材との対向位置に設けられて前記光軸に直交する平面に対する角度が当該平面と前記溝とがなす角度よりも小さい傾斜面と、前記副鏡筒または前記調整部材に設けられて前記傾斜面に当接する当接部材と、を備えることを特徴とする。
【００２７】
この発明によれば、調整部材または副鏡筒における副鏡筒または調整部材との対向位置を傾斜面とするだけで第２の調整機構を実現することができるので、簡易な構成によって、レンズの解像力や明るさに拘わらず、レンズの焦点位置を迅速かつ高精度に調整することができる。
【００２８】
また、この発明にかかる撮像装置は、レンズを保持するレンズ保持枠と、前記レンズに入射した外光の強度に応じた画像データを生成する撮像用の光電変換素子と、光軸を軸心方向とする筒形状を有し、前記レンズ保持枠を光軸方向に移動可能に保持する主鏡筒と、前記光軸を軸心方向とする筒形状を有して前記主鏡筒に対して前記光軸周りに回転自在に設けられた調整リングを備える副鏡筒と、前記主鏡筒に対する前記調整リングの回転にともなって前記主鏡筒に対して前記レンズ保持枠を前記光軸方向に移動させる第１の調整機構と、前記光軸方向において前記副鏡筒に当接し、前記主鏡筒に対して前記光軸周りに回転自在に設けられた調整部材と、前記調整部材の回転にともなって前記主鏡筒に対して前記副鏡筒を前記光軸方向に移動させる第２の調整機構と、を備え、前記第２の調整機構は、前記主鏡筒に対する前記調整部材の回転量に応じた前記レンズ保持枠の移動量が、前記主鏡筒に対する前記調整リングの回転量に応じた前記レンズ保持枠の移動量よりも小さくなるように、前記副鏡筒を移動させることを特徴とする。
【００２９】
この発明によれば、明るく高解像力を有するレンズの焦点位置を高精度に調整することができるので、レンズ明るさや解像力、あるいは、撮像用の光電変換素子における画素数に左右されることなく、高画質の画像データを得ることができる。
【発明の効果】
【００３０】
この発明にかかる焦点調整機構および撮像装置によれば、明るく高解像力を有するレンズの焦点位置を高精度に調整することができるという効果を奏する。
【発明を実施するための最良の形態】
【００３１】
以下に添付図面を参照して、この発明にかかる焦点調整機構および撮像装置の好適な実施の形態を詳細に説明する。実施の形態は、この発明にかかる焦点調整機構をバリフォーカルレンズに適用した例である。バリフォーカルレンズは、たとえば、デジタルカメラなどの撮像装置に連結して使用される。
【００３２】
（実施の形態１）
図１は、実施の形態１のバリフォーカルレンズを示す斜視図である。図１に示したように、実施の形態１のバリフォーカルレンズ１００は、バリフォーカルレンズ１００の光軸方向に移動可能なレンズ１０１を備えている。レンズ１０１は、バリフォーカルレンズ１００の光軸を軸心とする円筒形状の鏡筒１０２に保持されている。
【００３３】
鏡筒１０２は、図示を省略するマウントに取り付けられる後方側鏡筒１０３と、後方側鏡筒１０３に取り付けられる前方側鏡筒１０４と、を備えている。前方側鏡筒１０４は、後方側鏡筒１０３を間にしてマウントとは反対側に設けられる。上述したレンズ１０１は、前方側鏡筒１０４によって保持されている。
【００３４】
前方側鏡筒１０４の外周部分には、調整リングとしてのフォーカスリング１０５と調整部材としての微調整リング１０６とが設けられている。フォーカスリング１０５は、バリフォーカルレンズ１００の光軸を軸心方向とする円筒形状を有して当該光軸周りに回転自在に設けられている。微調整リング１０６は、バリフォーカルレンズ１００の光軸周りに回転可能に設けられている。図１中符号１０７は、フォーカスリング１０５の回転を規制するフォーカスロックビスである。
【００３５】
図２は、バリフォーカルレンズ１００を示す縦断側面図である。図２には、前方側鏡筒１０４および前方側鏡筒１０４に保持される各部材を、光軸を通る平面に沿って切断した状態を示している。図２に示した前方側鏡筒１０４においては、当該前方側鏡筒１０４に対して図２中紙面右側に後方側鏡筒１０３が取り付けられる。また、図３は、バリフォーカルレンズ１００を示す横断正面図である。
【００３６】
図２および図３に示したように、前方側鏡筒１０４は、上述した後方側鏡筒１０３に連結されて、バリフォーカルレンズ１００の光軸を軸心とする円筒形状の主鏡筒２０１を備えている。主鏡筒２０１には、バリフォーカルレンズ１００の光軸に直交する方向に主鏡筒２０１を貫通し、バリフォーカルレンズ１００の光軸方向を長手方向とする第１直進孔２０２が設けられている。
【００３７】
主鏡筒２０１の外周側には、バリフォーカルレンズ１００の光軸を軸心とする円筒形状の第１鏡筒２０３が設けられている。第１鏡筒２０３には、バリフォーカルレンズ１００の光軸に直交する方向に第１鏡筒２０３を貫通し、バリフォーカルレンズ１００の光軸方向を長手方向とする第２直進孔２０４が設けられている。上述したフォーカスリング１０５は、第１鏡筒２０３の外周側において、バリフォーカルレンズ１００の光軸周りに第１鏡筒２０３に対して回転自在に設けられている。
【００３８】
フォーカスリング１０５の内周面には、バリフォーカルレンズ１００の光軸を軸心とする螺旋状の溝としてのカム溝２０５が設けられている。カム溝２０５は、たとえば、３ピッチ分など、軸心周りに複数周分設けられている。カム溝２０５には、上述したレンズ１０１を保持するレンズ保持枠２０６に設けられた係合部材としてのコマ部材２０７が係合している。
【００３９】
コマ部材２０７は、上述した第１直進孔２０２および第２直進孔２０４を介して、カム溝２０５に係合している。実施の形態１では、第１鏡筒２０３およびフォーカスリング１０５によって副鏡筒が実現されている。レンズ保持枠２０６の外周面と主鏡筒２０１の内周面との間には空間が設けられており、レンズ保持枠２０６はコマ部材２０７によって主鏡筒２０１内で吊られた状態とされている。
【００４０】
第１鏡筒２０３に対してフォーカスリング１０５が光軸周りに回転すると、フォーカスリング１０５の回転にともなってコマ部材２０７が光軸周りに連れ回ろうとするが、コマ部材２０７は、第１直進孔２０２および第２直進孔２０４によって光軸周りへ回転する方向への移動が規制されているため、カム溝２０５に対する係合位置を変化させながら、バリフォーカルレンズ１００の光軸方向に移動する。
【００４１】
このように、バリフォーカルレンズ１００においては、第１鏡筒２０３に対してフォーカスリング１０５が光軸周りに回転することで、レンズ１０１の位置をバリフォーカルレンズ１００の光軸方向に移動させることができる。実施の形態１では、主鏡筒２０１，第１鏡筒２０３，フォーカスリング１０５，カム溝２０５，およびコマ部材２０７によって第１の調整機構が実現されている。
【００４２】
フォーカスリング１０５は、上述したフォーカスロックビス１０７によって第１鏡筒２０３に固定された場合に、第１鏡筒２０３に対する回転が規制される。フォーカスロックビス１０７は、バリフォーカルレンズ１００の光軸に直交する方向を軸心方向として、フォーカスリング１０５に設けられたビス孔２０８に螺合されている。ビス孔２０８は、フォーカスロックビス１０７の軸心方向にフォーカスリング１０５を貫通している。これによって、フォーカスロックビス１０７の先端は第１鏡筒２０３に当接可能とされている。
【００４３】
ここで、図３を用いて、コマ部材２０７およびフォーカスロックビス１０７の位置関係について説明する。図３に示したように、バリフォーカルレンズ１００は、３つのコマ部材２０７を備えている。コマ部材２０７は、光軸を中心とする同心円上に均等な間隔を開けて配置されている。これによって、バリフォーカルレンズ１００の光軸に対するレンズ１０１の光軸の傾きを防止するとともに、コマ部材２０７の移動に際してコマ部材２０７に加わる負荷を必要最小限とすることができる。上述したフォーカスロックビス１０７は、３つのコマ部材２０７のうちのいずれか２つのコマ部材２０７の中間位置に設けられている。
【００４４】
上述した微調整リング１０６は、主鏡筒２０１において、後方側鏡筒１０３とは反対側の端部に設けられている。微調整リング１０６は、主鏡筒２０１の外周側において、バリフォーカルレンズ１００の光軸周りに主鏡筒２０１に対して回転自在に設けられている。微調整リング１０６は、微調整リング１０６の内周面に設けられたネジ２０９を、主鏡筒２０１の外周面に設けられたネジ２１０に螺合させることによって、主鏡筒２０１に対して回転自在に連結されている。微調整リング１０６の内周面に設けられたネジ２０９および主鏡筒２０１の外周面に設けられたネジ２１０のピッチは、上述したカム溝２０５のピッチよりも小さい。
【００４５】
主鏡筒２０１における後方側鏡筒１０３側の端部および第１鏡筒２０３における後方側鏡筒側１０３の端部には、フランジ２１１，２１２が設けられている。フランジ２１１とフランジ２１２との間には、付勢部材としての片寄せバネ２１３が設けられている。片寄せバネ２１３は、光軸方向において第１鏡筒２０３が微調整リング１０６に当接する方向（図２中紙面右側から左側へ向かう方向）に第１鏡筒２０３を付勢する。片寄せバネ２１３は、たとえば、ウェーブワッシャなどを用いることができる。なお、片寄せバネ２１３は、ウェーブワッシャに限るものではなく、上述した付勢力を第１鏡筒２０３に作用させる部材であれば形状および材質を限定しない。
【００４６】
主鏡筒２０１に対して微調整リング１０６が光軸周りに回転すると、微調整リング１０６の回転にともなって微調整リング１０６と主鏡筒２０１との螺合状態が変化して、バリフォーカルレンズ１００の光軸方向における微調整リング１０６の主鏡筒２０１に対する位置が変化する。このように、微調整リング１０６は、主鏡筒２０１に対する螺合状態を変化させることで、バリフォーカルレンズ１００の光軸方向に移動する。
【００４７】
第１鏡筒２０３は、片寄せバネ２１３によって微調整リング１０６に当接する方向へ付勢されているため、微調整リング１０６がバリフォーカルレンズ１００の光軸方向に移動すると、微調整リング１０６の移動にともなってバリフォーカルレンズ１００の光軸方向に移動する。
【００４８】
上述したように、微調整リング１０６の内周面に設けられたネジ２０９および主鏡筒２０１の外周面に設けられたネジ２１０のピッチはカム溝２０５のピッチよりも小さいため、フォーカスリング１０５および微調整リング１０６の主鏡筒２０１に対する回転量が同じてあれば、バリフォーカルレンズ１００の光軸方向において、フォーカスリング１０５を回転することによる第１鏡筒２０３の移動量よりも微調整リング１０６を回転することによる第１鏡筒２０３の移動量の方が小さくなる。
【００４９】
実施の形態１では、たとえば、微調整リング１０６，主鏡筒２０１，第１鏡筒２０３，レンズ保持枠２０６などのバリフォーカルレンズ１００を構成する各部は、プラスチック材料を用いて形成されている。プラスチック材料を用いることによって、金属材料を用いる場合と比較して、バリフォーカルレンズ１００の製造コストを低減することができる。
【００５０】
図示を省略するが、バリフォーカルレンズ１００の製造に際しては、バリフォーカルレンズ１００がＣＣＤなどの撮像素子を備えるデジタルカメラの本体あるいは検査機器などに連結された状態で、レンズ１０１の焦点位置を調整する。レンズ１０１の焦点位置は、バリフォーカルレンズ１００を通過した外光を上述した撮像素子に入射させて、撮像素子が光電変換することによって生成した画像データまたは当該画像データに基づく画像を用いて調整する。レンズ１０１の焦点位置の調整に際しては、具体的には、作業者は、まず、微調整リング１０６を主鏡筒２０１に対して一定量締め込んだ状態でフォーカスロックビス１０７を緩める。ここで、一定量とは、たとえば、双方のネジ２０９，２１０が半分程度螺合する量である。
【００５１】
作業者は、フォーカスロックビス１０７を緩めた後、第１鏡筒２０３に対してフォーカスリング１０５を回転させる。これによって、レンズ保持枠２０６がバリフォーカルレンズ１００の光軸方向に移動し、レンズ保持枠２０６の移動にともなってレンズ１０１がバリフォーカルレンズ１００の光軸方向に移動する。作業者は、レンズ１０１の焦点位置がおおよそ合っている状態で、フォーカスロックビス１０７を締める。フォーカスロックビス１０７を締めることによって、カム溝２０５に対するコマ部材２０７の係合位置が固定される。
【００５２】
つづいて、作業者は、主鏡筒２０１に対して微調整リング１０６を回転させる。これによって、バリフォーカルレンズ１００の光軸方向において、主鏡筒２０１に対して第１鏡筒２０３が移動する。主鏡筒２０１に対して第１鏡筒２０３が移動することによって、主鏡筒２０１に対してレンズ保持枠２０６がバリフォーカルレンズ１００の光軸方向に移動し、レンズ保持枠２０６の移動にともなってレンズ１０１がバリフォーカルレンズ１００の光軸方向に移動する。作業者は、レンズ１０１の焦点位置が合っている状態で微調整リング１０６の回転を停止して、レンズ１０１の焦点位置の調整を終了する。
【００５３】
上述したように、フォーカスリング１０５および微調整リング１０６の主鏡筒２０１に対する回転量が等しい場合には、フォーカスリング１０５の回転にともなうレンズ保持枠２０６の光軸方向における移動量よりも、微調整リング１０６の回転にともなって第１鏡筒２０３が光軸方向に移動することによるレンズ保持枠２０６の光軸方向における移動量の方が小さい。これによって、作業者は、主鏡筒２０１に対してフォーカスリング１０５を回転させることで光軸方向におけるレンズ１０１の焦点位置をおおまかに調整し、主鏡筒２０１に対して微調整リング１０６を回転させることで光軸方向におけるレンズ１０１の焦点位置を微調整することができる。
【００５４】
このように、実施の形態１のバリフォーカルレンズ１００によれば、バリフォーカルレンズ１００が搭載するレンズ１０１の解像力や明るさに拘わらず、レンズ１０１の焦点位置を迅速かつ高精度に調整することができる。
【００５５】
また、実施の形態１のバリフォーカルレンズ１００によれば、レンズ１０１の焦点位置の開始に当たって、双方のネジ２０９，２１０を半分程度螺合させてから微調整リング１０６と主鏡筒２０１とを螺合した状態とすることで、レンズ１０１の焦点位置の微調整に際しては、レンズ１０１を微調整リング１０６側にも片寄せバネ２１３側にも移動させることができる。これによって、レンズ１０１の焦点位置の調整作業の一層の迅速化を図ることができる。
【００５６】
一般的な監視カメラは、たとえば、天井や室内の奥まった部分などのように、手が届きにくい場所に設置される。このため、作業者は、作業しづらい環境で監視カメラのレンズ調整をおこなわなくてはならないことがあり、調整精度を確保するためにフォーカスリングを微量ずつ回転させることが困難である状況が想定される。
【００５７】
これに対し、実施の形態のバリフォーカルレンズ１００を搭載する監視カメラによれば、レンズ１０１の焦点位置をおおまかに調整した後、微調整リング１０６を回転させることで、光軸方向におけるレンズ１０１の焦点位置を微調整することができるので、作業環境が整っていない状況下でもレンズ１０１の焦点位置を迅速かつ高精度に調整することができる。
【００５８】
また、実施の形態１のバリフォーカルレンズ１００によれば、レンズ１０１の焦点位置の調整に際しては、微調整リング１０６をフォーカスリング１０５と同様に回転させることでレンズ１０１の焦点位置を微調整することができるので、調整作業をおこなう作業者の習熟度や勘などに依存せず、バリフォーカルレンズ１００が搭載するレンズ１０１の解像力や明るさに拘わらず、レンズ１０１の焦点位置を迅速かつ高精度に調整することができる。
【００５９】
また、実施の形態１のバリフォーカルレンズ１００によれば、レンズ１０１の焦点位置を調整する代わりに画像データを補正したり、モータを用いてレンズ保持枠２０６を移動させてレンズ１０１の焦点位置を調整したりすることなく、レンズ１０１の焦点位置を微調整することができるので、バリフォーカルレンズ１００の製造コストの増加を抑えつつ、レンズ１０１の解像力や明るさに拘わらず、レンズ１０１の焦点位置を迅速かつ高精度に調整することができる。
【００６０】
また、実施の形態１のバリフォーカルレンズ１００によれば、バリフォーカルレンズ１００を構成する各部をプラスチック材料を用いて形成した場合にも、バリフォーカルレンズ１００が搭載するレンズ１０１の解像力や明るさに拘わらず、レンズ１０１の焦点位置を迅速かつ高精度に調整することができるので、たとえば、ＦＡレンズなどの市場と比較して廉価帯市場に位置づけられるバリフォーカルレンズ１００において、製造コストを抑えつつ高い調整精度を維持することができる。
【００６１】
なお、実施の形態１では、バリフォーカルレンズ１００を構成する各部をプラスチック材料を用いて形成したが、バリフォーカルレンズ１００を構成する各部を形成する材料は、プラスチック材料に限るものではなく、金属材料であってもよい。バリフォーカルレンズ１００を構成する各部を金属材料によって形成することで、各部品の製造精度を向上させることができるので、バリフォーカルレンズ１００が搭載するレンズ１０１の解像力や明るさに拘わらず、レンズ１０１の焦点位置を迅速かつ一層高精度に調整することができる。
【００６２】
また、実施の形態１のバリフォーカルレンズ１００によれば、フランジ２１１とフランジ２１２との間に設けられた片寄せバネ２１３によって、第１鏡筒２０３を微調整リング１０６に対して安定して当接させることで、光軸方向における第１鏡筒２０３のがたつきを抑えることができるので、第１鏡筒２０３のがたつきから来るレンズ１０１のがたつきに起因するレンズ１０１の焦点位置のずれを防止することができる。
【００６３】
また、実施の形態１のバリフォーカルレンズ１００によれば、第１鏡筒に設けられたカム溝２０５に対するコマ部材２０７の係合位置を変化させることで、簡易な構成によって主鏡筒２０１に対してレンズ保持枠２０６を光軸方向に移動させることができるので、バリフォーカルレンズ１００の構造の簡易化を図り、製造コストの増加を抑制することができる。
【００６４】
なお、実施の形態１では、カム溝２０５に対するコマ部材２０７の係合位置を変化させることで、レンズ保持枠２０６を光軸方向に移動させるようにしたが、これに限るものではない。たとえば、光軸を軸芯とする螺旋状のネジを有するヘリコイドネジ機構によって第１鏡筒２０３とレンズ保持枠２０６とを連結し、第１鏡筒２０３に対してレンズ保持枠２０６を光軸周りに回転させることで、レンズ保持枠２０６を光軸方向に移動させるようにしてもよい。
【００６５】
また、実施の形態１のバリフォーカルレンズ１００によれば、カム溝２０５のピッチよりも小さいピッチのネジ２０９，２１０を有するネジ機構によって、主鏡筒２０１と微調整リング１０６との連結と、主鏡筒２０１に対する微調整リング１０６の位置の微調整とをおこなうことができるので、少ない部品点数かつ簡易な構成によって、レンズ１０１の解像力や明るさに拘わらず、レンズ１０１の焦点位置を迅速かつ高精度に調整することができる。
【００６６】
また、実施の形態１のバリフォーカルレンズ１００によれば、第１および第２直進孔２０２，２０４を介してコマ部材２０７がカム溝２０５に係合しているため、コマ部材２０７の移動範囲を第１および第２直進孔２０２，２０４によって規制してレンズ保持枠２０６を光軸方向にのみ移動させることで、レンズ保持枠２０６の移動にともなってレンズ１０１の光軸が正規の光軸からずれることを防止することができるので、簡易な構成によってレンズ１０１の移動にともなうレンズ１０１の光軸ずれを防止することができる。
【００６７】
また、実施の形態１のバリフォーカルレンズ１００によれば、主鏡筒２０１と微調整リング１０６とがネジ機構を介して連結されているため、レンズ１０１の焦点位置の微調整に際してはレンズ１０１を光軸方向になめらかに移動させることができる。
【００６８】
図示を省略するが、実施の形態１のバリフォーカルレンズ１００を搭載するデジタルカメラなどの撮像装置によれば、撮像装置が備えるＣＣＤなどの撮像素子にレンズの焦点位置を高精度に合わせることができるので、解像力や明るさを高めたレンズ１０１を用いて、高画質の画像データを生成することができる。
【００６９】
（実施の形態２）
図４は、実施の形態２のバリフォーカルレンズを示す縦断側面図である。つぎに、図４を用いて、実施の形態２のバリフォーカルレンズについて説明する。実施の形態２では、上述した実施の形態１における前方側鏡筒１０４に代えて、前方側鏡筒４００を備えている。なお、実施の形態２では、上述した実施の形態１と同一部分は同一符号で示し、説明を省略する。
【００７０】
図４には、実施の形態２のバリフォーカルレンズにおける前方側鏡筒４００および前方側鏡筒４００に保持される各部材を、光軸を通る平面に沿って断面した状態が示されている。図４に示したように、主鏡筒２０１の外周側には、上述した実施の形態１における第１鏡筒２０３に代えて、バリフォーカルレンズの光軸を軸心とする円筒形状のカム筒４０１が設けられている。カム筒４０１は、主鏡筒２０１に対してバリフォーカルレンズの光軸周りに回転自在に設けられている。
【００７１】
カム筒４０１には、バリフォーカルレンズの光軸を軸心とする螺旋状の溝としてのカム溝４０２が設けられている。カム溝４０２のピッチは、微調整リング１０６の内周面に設けられたネジ２０９および主鏡筒２０１の外周面に設けられたネジ２１０のピッチよりも大きい。カム溝４０２は、バリフォーカルレンズの光軸に直交する方向にカム筒４０１を貫通しており、光軸から離反するほど大きく拡開するテーパー形状を有している。
【００７２】
カム溝４０２には、レンズ保持枠４０３に設けられたコマ部材４０４が係合している。コマ部材４０４は、カム溝４０２に対してスライド自在であって、レンズ保持枠４０３に螺合される固定ビス４０５によってレンズ保持枠４０３に固定されている。コマ部材４０４は、カム筒４０１の外周側から第１直進孔２０２を介してレンズ保持枠４０３に挿入された状態固定されている。カム筒４０１の外周側には、カム筒４０１の外周側を覆うカバーリング４０６が設けられている。
【００７３】
図４中符号４０７は、カム筒４０１およびカバーリング４０６に設けられたビス孔（符号を省略）に螺合されたフォーカスロックビスである。レンズ１０１の焦点位置の調整に際して、作業者が、フォーカスロックビス４０７を光軸周りに回転させると、フォーカスロックビス４０７に連れ回りしてカム筒４０１およびカバーリング４０６が光軸周りに回転する。フォーカスロックビス４０７は、カム筒４０１およびカバーリング４０６に対する螺合状態に応じて、先端が主鏡筒２０１に接離自在に設けられており、主鏡筒２０１に当接した状態において主鏡筒２０１に対するカム筒４０１およびカバーリング４０６の回転を規制する。
【００７４】
バリフォーカルレンズにおいては、主鏡筒２０１に対してカバーリング４０６が光軸周りに回転すると、カバーリング４０６の回転にともなってコマ部材４０４が連れ回ろうとするが、コマ部材４０４は第１直進孔２０２によって光軸周りへ回転する方向への移動が規制されている。このため、コマ部材４０４は、カム溝４０２に対する係合位置を変化させながら、バリフォーカルレンズの光軸方向に移動する。
【００７５】
このように、バリフォーカルレンズにおいては、カム筒４０１に対してカバーリング４０６が光軸周りに回転することで、レンズ１０１の位置をバリフォーカルレンズの光軸方向に移動させることができる。実施の形態２では、主鏡筒２０１，カム筒４０１，カム溝４０２，およびコマ部材４０４によって第１の調整機構が実現されている。
【００７６】
上述したように、カム溝４０２のピッチが、微調整リング１０６の内周面に設けられたネジ２０９および主鏡筒２０１の外周面に設けられたネジ２１０のピッチよりも大きいことから、カバーリング４０６および微調整リング１０６の主鏡筒２０１に対する回転量が等しい場合には、カバーリング４０６の回転にともなうレンズ保持枠２０６の光軸方向における移動量よりも、微調整リング１０６の回転にともなってカム筒４０１が光軸方向に移動することによるレンズ保持枠２０６の光軸方向における移動量の方が小さくなる。
【００７７】
このように、実施の形態２では、作業者は、主鏡筒２０１に対してカバーリング４０６を回転させることで光軸方向におけるレンズ１０１の焦点位置をおおまかに調整し、主鏡筒２０１に対して微調整リング１０６を回転させることで光軸方向におけるレンズ１０１の焦点位置を微調整することができる。これによって、実施の形態２のバリフォーカルレンズによれば、バリフォーカルレンズが搭載するレンズ１０１の解像力や明るさに拘わらず、レンズ１０１の焦点位置を迅速かつ高精度に調整することができる。
【００７８】
図示を省略するが、実施の形態２のバリフォーカルレンズを搭載するデジタルカメラなどの撮像装置によれば、実施の形態１のバリフォーカルレンズ１００と同様に、撮像装置が備えるＣＣＤなどの撮像素子にレンズの焦点位置を高精度に合わせることができるので、解像力や明るさを高めたレンズを用いて、高画質の画像データを生成することができる。
【００７９】
（実施の形態３）
図５は、実施の形態３のバリフォーカルレンズを示す斜視図である。つぎに、図５を用いて、実施の形態３のバリフォーカルレンズについて説明する。実施の形態３では、上述した実施の形態１または２と同一部分は同一符号で示し、説明を省略する。図５に示したように、実施の形態３のバリフォーカルレンズ５００は、後方側鏡筒５０１と、後方側鏡筒５０１に取り付けられる前方側鏡筒５０２と、を備えている。
【００８０】
前方側鏡筒５０２には、バリフォーカルレンズ５００の光軸周りに回転自在に設けられたフォーカスリング５０３および微調整リング５０４を備えている。フォーカスリング５０３は、フォーカスリング５０３に対するフォーカスロックビス１０７の螺合状態に応じて、バリフォーカルレンズ５００の光軸周りに回転自在とされる。
【００８１】
図５中符号５０５は、フォーカスリング５０３の回転量を案内する指標となるフォーカスカバー指標マーク（以下、「Ｆカバー指標マーク」という）である。Ｆカバー指標マーク５０５は、フォーカスリング５０３の回転にともなって、光軸周りに変位する。図示を省略するが、フォーカスリング５０３とカム筒（図６中符号４０１を参照）との間には、光軸周りに回転するフォーカスリング５０３が基準位置に位置付けられた場合に係合する凹部および凸部が設けられている。
【００８２】
凹部および凸部の係合の有無によって、作業者は、フォーカスリング５０３が基準位置に位置付けられているか否かを判断することができる。なお、凹部および凸部の係合力は、作業者によるフォーカスリング５０３の回転作業に支障をきたすことのないように設定されている。
【００８３】
また、図５中符号５０６は、微調整リング５０４の回転量を案内する指標となる指標位置案内マークである。指標位置案内マーク５０６は、微調整リング５０４の回転にともなって、光軸周りに変位する。Ｆカバー指標マーク５０５と指標位置案内マーク５０６との位置関係によって、フォーカスリング５０３に対する微調整リング５０４の回転量を案内することができる。
【００８４】
図５中符号５０７は、微調整リング５０４をフォーカスリング５０３に固定する微調整リングロックビスである。微調整リングロックビス５０７の先端部は、微調整リング５０４に対する螺合状態に応じてフォーカスリング５０３に対して接離するように設けられており、フォーカスリング５０３に当接した状態においてはフォーカスリング５０３に対する微調整リング５０４の回転を規制する。図示を省略するが、バリフォーカルレンズ５００は、入射された外光の強度に応じた電気信号を生成するＣＣＤなどの撮像素子を備える撮像装置に連結される。
【００８５】
また、図５中符号５０８は、レンズ１０１とは異なるレンズ（図６符号６０５を参照）を光軸方向に移動させる第２ロックビスである。第２ロックビス５０８を緩めた状態で、第２ロックビス５０８をバリフォーカルレンズ５００の光軸周りに移動させることで、当該レンズを移動させることができる。
【００８６】
図６は、バリフォーカルレンズ５００を示す縦断側面図である。図６には、バリフォーカルレンズ５００を、バリフォーカルレンズ５００の光軸を通る平面に沿って断面した状態が示されている。図６に示したように、微調整リング５０４は、主鏡筒２０１の一端側に嵌合されており、主鏡筒２０１に対してバリフォーカルレンズ５００の光軸周りに回転自在とされている。
【００８７】
微調整リング５０４には、光軸方向においてカム筒（図６符号４０１を参照）に対向する位置に、バリフォーカルレンズ５００の光軸に直交する平面に対して傾斜する傾斜面６０１が設けられている。傾斜面６０１は、バリフォーカルレンズ５００の光軸に直交する平面に対する角度が、当該平面と上述したカム溝４０２とがなす角度よりも小さくなるように設けられている。
【００８８】
傾斜面６０１は、バリフォーカルレンズ５００の光軸を中心とする同心円周上に複数箇所設けられている。傾斜面６０１によって、微調整リング５０４においてカム筒４０１側となる端面の形状は、当該端面における任意の位置から当該端面上を光軸周りにたどった場合に、光軸方向において徐々にカム筒４０１から離反する（あるいは接近する）方向に傾斜し、別の傾斜面６０１に差し掛かった時点で一気にカム筒に接近（あるいは離反）する、という鋸歯形状となっている。各傾斜面６０１のバリフォーカルレンズ５００の光軸に直交する平面に対する傾斜角度はそれぞれ等しい。
【００８９】
カム筒４０１において、バリフォーカルレンズ５００の光軸方向で微調整リング５０４に対向する面には、微調整リング５０４の傾斜面６０１に当接する突起６０２が設けられている。実施の形態３では、傾斜面６０１および突起６０２によって第２の調整機構が実現されている。図６中符号６０３は、主鏡筒２０１からの微調整リング５０４の脱落を防止する脱落防止ビスである。脱落防止ビス６０３は、微調整リング５０４を介して、主鏡筒２０１の外周面に設けられた溝６０４に係合されている。
【００９０】
脱落防止ビス６０３は、溝６０４に対してスライド自在に係合しており、主鏡筒２０１に対する微調整リング５０４の回転量に応じて、溝６０４における任意の位置で溝６０４に係合する。溝６０４および脱落防止ビス６０３によって、主鏡筒２０１に対する微調整リング５０４の回転量に拘わらず、主鏡筒２０１に対して微調整リング５０４を連結することができる。
【００９１】
図６中符号６０５は、レンズ１０１に入射した外光を、ＣＣＤなどの図示しない撮像素子側に透過させるレンズである。レンズ６０５は、上述したレンズ１０１と同様に、レンズ６０５を支持するレンズ保持枠６０６に設けられたコマ部材６０７を、カム筒６０８に設けられたカム溝６０９に係合させることによって、バリフォーカルレンズ５００の光軸方向に移動自在に設けられている。カム筒６０８の外周側には、バリフォーカルレンズ５００の光軸周りにカム筒６０８に対して回転自在な円筒形状のズームリング６１０が設けられている。ズームリング６１０は、上述した第２ロックビス５０８の操作に応じて光軸周りに回転する。
【００９２】
図７〜図９は、レンズ１０１の焦点位置の調整手順について説明する説明図（その１）〜（その３）である。図７〜図９は、レンズ１０１の焦点位置の調整手順を順を追って示している。レンズ１０１の焦点位置の調整に際して、作業者は、まず、フォーカスリング５０３および微調整リング５０４を光軸周りに回転させて、図７に示したように、フォーカスリング５０３を基準位置に位置付け、この状態のＦカバー指標マーク５０５に指標位置案内マーク５０６が合う位置に微調整リング５０４を位置付ける（図７中符号７０１参照）。
【００９３】
つづいて、作業者は、微調整リングロックビス５０７を締め、フォーカスロックビス１０７を緩めた状態でフォーカスリング５０３を光軸周りに回転させ、光軸方向にレンズ保持枠４０３を移動させる。このとき、微調整リングロックビス５０７が締まった状態であるので、微調整リング５０４は、図８に示したように、フォーカスリング５０３の回転にともなって回転する。作業者は、レンズ１０１の焦点位置がおおよそ合っている位置までレンズ保持枠４０３を移動させた状態で、フォーカスロックビス１０７を締める。
【００９４】
つづいて、作業者は、微調整リングロックビス５０７を緩めて、カム筒４０１に対して微調整リング５０４を回転させ、レンズ１０１の焦点位置の微調整をおこなう。このとき、フォーカスロックビス１０７が締まった状態であるので、微調整リング５０４は、図９に示したように、フォーカスリング５０３およびカム筒４０１に対して回転する。カム筒４０１に対して微調整リング５０４が光軸周りに回転すると、微調整リング５０４の回転にともなって傾斜面６０１における突起６０２の当接位置が変化する。
【００９５】
傾斜面６０１における突起６０２の当接位置が変化すると、主鏡筒２０１に対してカム筒４０１がバリフォーカルレンズ５００の光軸方向に移動する。このとき、主鏡筒２０１に対する微調整リング５０４の光軸方向の位置は一定である。カム筒４０１が移動すると、当該移動にともなってレンズ保持枠４０３が光軸方向に移動する。
【００９６】
上述したように、傾斜面６０１は、バリフォーカルレンズ５００の光軸に直交する平面に対する角度が、当該平面と上述したカム溝４０２とがなす角度よりも小さくなるように設けられているため、カム筒４０１および微調整リング５０４の主鏡筒２０１に対する回転量が等しい場合には、カム筒４０１の回転にともなうレンズ保持枠４０３の光軸方向における移動量よりも、微調整リング５０４の回転にともなってカム筒４０１が光軸方向に移動することによるレンズ保持枠４０３の光軸方向における移動量の方が小さい。作業者は、レンズ１０１の焦点位置の微調整が完了した時点で微調整リングロックビス５０７を締める。このような作業手順によって、バリフォーカルレンズ５００におけるレンズ１０１の焦点位置を調整することができる。
【００９７】
上述したように、バリフォーカルレンズ５００においては、主鏡筒２０１に対して微調整リング５０４が光軸周りに回転することで、バリフォーカルレンズ５００の光軸方向におけるレンズ１０１の焦点位置を微調整することができる。実施の形態３では、微調整リング５０４，傾斜面６０１，カム筒４０１，および突起６０２によって第２の調整機構が実現されている。これによって、作業者は、主鏡筒２０１に対してカム筒４０１を回転させることで光軸方向におけるレンズ１０１の焦点位置をおおまかに調整し、主鏡筒２０１に対して微調整リング５０４を回転させることで光軸方向におけるレンズ１０１の焦点位置を微調整することができる。
【００９８】
上述した実施の形態１または２と同様に、実施の形態３のバリフォーカルレンズ５００によれば、微調整に際して、或る傾斜面６０１に突起６０２が当接した状態から微調整リング５０４を回転させると突起６０２が傾斜面６０１に沿って移動するので、レンズ１０１を光軸方向になめらかに移動させることができる。加えて、実施の形態３のバリフォーカルレンズ５００は、微調整リング５０４を同一方向に回転し続けた場合にも、カム筒４０１と微調整リング５０４との距離を一定範囲内に保つことができるので、レンズ１０１の焦点位置が光軸方向において正規の焦点位置から大きくかけ離れることを防止できる。
【００９９】
なお、実施の形態３のバリフォーカルレンズ５００では、微調整リング５０４を回転させ続けると、突起６０２が当接する傾斜面６０１が別の傾斜面６０１に切り替わった時点で光軸方向におけるレンズ１０１の位置が急激に変化するが、作業者が、Ｆカバー指標マーク５０５に対する指標位置案内マーク５０６の位置を目視によって確認しながら微調整リング５０４を回転させることで、光軸方向におけるレンズの位置の急激な変化を防止することができる。
【０１００】
なお、図示を省略するが、微調整リング５０４の回転にともなって突起６０２が或る傾斜面６０１から別の傾斜面６０１へ移動することがないように、各傾斜面６０１の境界部分に突起６０２の移動を規制するリブなどを設けてもよい。この場合、リブに当たるまでにレンズ１０１の焦点位置の調整が完了しない場合には、上述した図７〜図９に示した手順を再度おこなって、レンズ１０１の焦点位置を微調整する。
【０１０１】
上述したように、実施の形態３のバリフォーカルレンズ５００によれば、傾斜面６０１に対する突起６０２の当接位置を変化させることでレンズ１０１の焦点位置を微調整することができるので、簡易な構成によって、レンズ１０１の解像力や明るさに拘わらず、レンズ１０１の焦点位置を迅速かつ高精度に調整することができる。
【０１０２】
図示を省略するが、実施の形態３のバリフォーカルレンズ５００を搭載する撮像装置によれば、撮像装置が備えるＣＣＤなどの撮像素子にレンズ１０１の焦点位置を高精度に合わせることができるので、解像力や明るさを高めたレンズ１０１を用いて、高画質の画像データを生成することができる。
【産業上の利用可能性】
【０１０３】
以上のように、本発明にかかる焦点調整機構および撮像装置は、光学装置が備えるレンズの焦点位置の調整に有用であり、特に、バリフォーカルレンズが備えるレンズの焦点位置の調整に適している。
【図面の簡単な説明】
【０１０４】
【図１】実施の形態１のバリフォーカルレンズを示す斜視図である。
【図２】バリフォーカルレンズを示す縦断側面図である。
【図３】バリフォーカルレンズを示す横断正面図である。
【図４】実施の形態２のバリフォーカルレンズを示す縦断側面図である。
【図５】実施の形態３のバリフォーカルレンズを示す斜視図である。
【図６】バリフォーカルレンズを示す縦断側面図である。
【図７】レンズの焦点位置の調整手順について説明する説明図（その１）である。
【図８】レンズの焦点位置の調整手順について説明する説明図（その２）である。
【図９】レンズの焦点位置の調整手順について説明する説明図（その３）である。
【符号の説明】
【０１０５】
１０１  レンズ
１０５  フォーカスリング
１０６  微調整リング
２０１  主鏡筒
２０５  カム溝
２０６  レンズ保持枠
２０７  コマ部材
２１３  片寄せバネ
【図１】
2008009261.tif 000003
【図２】
2008009261.tif 000004
【図３】
2008009261.tif 000005
【図４】
2008009261.tif 000006
【図５】
2008009261.tif 000007
【図６】
2008009261.tif 000008
【図７】
2008009261.tif 000009
【図８】
2008009261.tif 000010
【図９】
2008009261.tif 000011